(57)【要約】  【課題】従来のゴルフクラブヘッドに比べて打ち出されたゴルフボールの飛距離および方向性を向上させることのできるゴルフクラブヘッドを提供する。  【解決手段】ゴルフクラブヘッド１０は、ヘッド体積に対するゴルフクラブヘッドのヘッド質量の比率が３（ｇ／ｃｍ２）以上であり、かつ、打撃面１６を有するフェース部１８が、引張最大強度で６００（ＭＰａ）以上の急冷凝固法により作製されたアルミニウム合金からなる部材で構成されている。【選択図】図１
2005125090.tif 000002
【特許請求の範囲】
【請求項１】
ゴルフボールを打撃する打撃面を有するゴルフクラブヘッドであって、
ゴルフクラブヘッドのヘッド体積に対するゴルフクラブヘッドのヘッド質量の比率が３（ｇ／ｃｍ２）以上であり、かつ、前記打撃面を有するフェース部が、引張最大強度が６００（ＭＰａ）以上のアルミニウム合金からなる部材で構成されたことを特徴とするゴルフクラブヘッド。
【請求項２】
前記アルミニウム合金は、急冷凝固法により作製されたものである請求項１に記載のゴルフクラブヘッド。
【請求項３】
前記フェース部とともに、ゴルフクラブシャフトを挿入、固定するホーゼル部が前記部材により構成されたものである請求項１または２に記載のゴルフクラブヘッド。
【請求項４】
前記ゴルフクラブヘッドを、設定されているロフト角度になるように水平面にセットしたときの、前記ゴルフクラブヘッドの重心を通り、前記水平面に直交する鉛直線周りの慣性モーメントが２０００(ｇ・ｃｍ２)以上である請求項１〜３のいずれか１項に記載のゴルフクラブヘッド。
【請求項５】
ゴルフクラブヘッドの重心高さが２３（ｍｍ）未満である請求項１〜４のいずれか１項に記載のゴルフクラブヘッド。
【請求項６】
ゴルフクラブヘッドの重心位置が、前記打撃面の先端から打撃後方向に２ｍｍ以上後退している請求項１〜５のいずれか１項に記載のゴルフクラブヘッド。
【請求項７】
比重が８以上の高比重金属からなる調整部材が接合されている請求項１〜６のいずれか１項に記載のゴルフクラブヘッド。
【発明の詳細な説明】
【技術分野】
【０００１】
本発明は、アイアン系のゴルフクラブヘッド、例えば、ゴルフクラブヘッド本体に中空領域のない中実のゴルフクラブヘッド、あるいは、一部中空領域を有するゴルフクラブヘッドに関する。
【背景技術】
【０００２】
アイアン系のゴルフクラブは、従来ゴルフボールを打撃するフェース面に例えばチタン合金（比重略４．５）を使用して、フェース面の軽量化を図る一方、高比重の金属重量体を重心調整錘（調整部材）として所望の位置に配置することにより、慣性モーメントの増大や低重心化を行ない、打ち出されたゴルフボールの飛距離の向上や方向性を向上させている。また、重心を打撃面から遠ざけるように重心深さを変えることもできる。しかし、重心調整錘を所望の位置に配置する方法は、重心位置を微妙に調整したり、慣性モーメントを微妙に調整する調整方法に過ぎず、重心高さや重心深さ等の重心位置を変化させる程度や上記慣性モーメントを増大させる程度には限界がある。
【０００３】
一方において、チタン合金よりも比重が小さいアルミニウム合金（比重略２．５）を打撃面に使用してゴルフクラブヘッド全体における軽量化を行ない、軽量化された分を重心調整錘の調整分に当てて、重心調整錘による調整自由度を高めることも行なわれている。しかし、例えば、７０７５アルミニウム合金の場合、この合金の物性強度（引張最大強度）は低いため、打撃面を形成するフェース部材として用いる場合、部材の肉厚を厚くしなければならない。このため、肉厚を厚くする分、比重が低いアルミニウム合金のメリットを有効に生かすことができず、ゴルフクラブヘッドの重心位置や慣性モーメントを変化させる程度には限界があった。
【０００４】
下記特許文献１、２には、ゴルフボールを打撃する打撃面（フェース面）に、微細な硬質微粒子や炭化珪素を分散させたアルミニウム合金からなる部材を、アイアン系のゴルフクラブヘッドに用いることが開示されている。しかし、ここで用いられる部材は、ゴルフボールのスピン性能を向上させるものであり、アルミニウム合金の物性強度が従来と同様に低いため、フェース部材の肉厚を厚くしなければならず、重心位置および慣性モーメントを従来と同様に維持するものである。このため、重心調整錘を用いて、従来に比べてゴルフボールの飛距離の向上や方向性を向上させるように調整することはできない。
【０００５】
【特許文献１】特開２００２−３５１８２号公報
【特許文献２】特開２００２−６５９１２号公報
【発明の開示】
【発明が解決しようとする課題】
【０００６】
そこで、本発明は、従来のゴルフクラブヘッドに比べて打ち出されたゴルフボールの飛距離の向上および方向性を向上させることのできるゴルフクラブヘッドを提供することを目的とする。
【課題を解決するための手段】
【０００７】
本発明は、ゴルフボールを打撃する打撃面を有するゴルフクラブヘッドであって、ゴルフクラブヘッドのヘッド体積に対するゴルフクラブヘッドのヘッド質量の比率が３（ｇ／ｃｍ２）以上であり、かつ、前記打撃面を有するフェース部が、引張最大強度が６００（ＭＰａ）以上のアルミニウム合金からなる部材で構成されたことを特徴とするゴルフクラブヘッドを提供する。
【０００８】
ここで、前記アルミニウム合金は、例えば、急冷凝固アルミニウム合金である。また、前記ゴルフクラブヘッドは、例えば、前記フェース部とともに、ゴルフクラブシャフトを挿入、固定するホーゼル部が前記部材により構成されたものである。
また、前記ゴルフクラブヘッドは、設定されているロフト角度になるように水平面にセットしたときの、前記ゴルフクラブヘッドの重心を通り、前記水平面に直交する鉛直線周りの慣性モーメントが２０００(ｇ・ｃｍ２)以上であるのが好ましい。
【０００９】
また、ゴルフクラブヘッドの重心高さが２３（ｍｍ）未満であるのが好ましい。さらに、ゴルフクラブヘッドの重心位置が、前記打撃面の先端から打撃後方向に２ｍｍ以上後退しているのが好ましい。
また、前記ゴルフクラブヘッドは、比重が８以上の高比重金属からなる調整部材が接合されているのが好ましい。より好ましくは、比重が８以上１９以下であるのが好ましい。
【発明の効果】
【００１０】
本発明のゴルフクラブヘッドは、ゴルフクラブヘッドのヘッド体積に対するゴルフクラブヘッドのヘッド質量の比率が３（ｇ／ｃｍ２）以上であり、かつ、前記打撃面を有するフェース部が、引張最大強度が６００（ＭＰａ）以上のアルミニウム合金からなる部材で構成されているので、この部材の質量を従来に比べて低くすることができ、この部材の質量が軽減された分を重心調整錘等の調整部材に従来に比べて多く振り分けて重心位置および所望の慣性モーメントを調整することができる。この結果、打ち出されたゴルフボールの飛距離の向上および方向性を向上させることができる。
【発明を実施するための最良の形態】
【００１１】
以下に、添付の図面に示す好適実施形態に基づいて、本発明のゴルフクラブヘッドを詳細に説明する。
【００１２】
図１（ａ）は、本発明のゴルフクラブヘッドの一実施形態であるゴルフクラブヘッド１０の正面図、（ｂ）は、ゴルフクラブヘッド１０の、図１（ａ）に示すＡ−Ａ’矢視断面図である。
ゴルフクラブヘッド１０は、ゴルフクラブヘッド本体部１２と、ゴルフクラブシャフトを挿入してゴルフクラブヘッド本体部１２に結合させるホーゼル部１４とが1つの部材にて一体的に設けられたアイアン系のゴルフクラブヘッドである。
ゴルフクラブヘッド１０は、ゴルフクラブヘッドのヘッド体積に対するゴルフクラブヘッドのヘッド質量の比率が３（ｇ／ｃｍ２）以上であり、ゴルフボールを打撃する打撃面１６を有するフェース部１８およびホーゼル部１４が、引張最大強度が６００（ＭＰａ）以上の高強度アルミニウム合金からなる部材で構成されている。
【００１３】
ここで、高強度アルミニウム合金は、溶融した合金を急冷凝固させる急冷凝固法により得ることができる。具体的には、主元素をＡｌとし、所定の添加元素を含む合金組成を有する溶融金属を急冷することにより、非晶質相、非晶質と微細結晶質の混合相あるいは微細結晶質相に調整することによって得ることができ、高強度と超塑性を有する。例えば、溶融金属をガスアトマイズ法によって急冷凝固粉末を作製し、この粉末を押し出し固化して板材等の部材を製造する。このような合金として、例えば特許３２０５４９５号で規定された組成を有する合金が挙げられる。また、日本軽金属株式会社製、ＭＥＳＯ−１０（Ａｌ−９．５Ｚｎ−３Ｍｇ−１．５Ｃｕ−０．０４Ａｇ）が挙げられる。
【００１４】
ゴルフクラブヘッド本体部１２のソール部分には、図１（ｂ）に示すように、比重が８以上のタングステン合金からなる重心調整錘１９(図１（ｂ）中の黒領域)が接合されて慣性モーメントおよび重心位置が調整されている。
ここで、慣性モーメントは、具体的にはゴルフクラブヘッド１０に設定されているロフト角度になるように水平面Ｙ（図１（ｂ）参照）にセットしたときの、ゴルフクラブヘッド１０の重心Ｇを通り、水平面に直交する鉛直線Ｘ（図１（ｂ）参照）周りの慣性モーメントである。そして、重心調整錘１９の調整により、慣性モーメントが２０００(ｇ・ｃｍ２)以上に調整されている。この慣性モーメントは、打撃面１６がトウ側またはヒール側に向きを変えて回転するときの慣性モーメントである。この慣性モーメントの規定により、後述するようにゴルフボールの飛弾方向のばらつきが小さくなる。
また、ゴルフクラブヘッド１０の重心高さは、重心Ｇの水平面Ｙからの高さＨであり、この高さＨが２３（ｍｍ）未満に調整される。さらに、ゴルフクラブヘッド１０の重心深さＬ、すなわち、打撃面１６の表面から打撃面１６に対して垂直方向に２ｍｍ以上、フェース部材側に後退している。この後退距離を重心深さＬという。
【００１５】
このような重心位置（重心高さＨ、重心深さＬ）および慣性モーメントの調整は、打撃面１６を有するゴルフクラブヘッド本体部１２が、引張最大強度で６００（ＭＰａ）以上の高強度アルミニウム合金で構成されているので、従来用いられていた７０７５アルミニウム合金に比べてフェース部の肉厚を薄くすることができ、例えば、肉厚を２．５〜３．５ｍｍとすることができる。ゴルフクラブヘッド本体部１２の質量を軽減することができる。このため、後述する実施例に示すように、従来と同等の質量のゴルフクラブヘッドを作製する場合、タングステン合金等の高比重金属からなる重心調整錘１９を従来に比べて多く用いることができ、重心調整錘１９によって重心位置（重心深さＬ、重心高さＨ）および慣性モーメントを大きく調整することができる。
【００１６】
図２（ａ）は、本発明のゴルフクラブヘッドの他の実施形態であるゴルフクラブヘッド２０の正面図、図２（ｂ）は、ゴルフクラブヘッド２０の、図２（ａ）に示すＢ−Ｂ’矢視断面図である。
【００１７】
ゴルフクラブヘッド２０は、ゴルフクラブヘッド１０と同様に、ゴルフクラブヘッド本体部２２と、ゴルフクラブシャフトを挿入してゴルフクラブヘッド本体部２２に結合させるホーゼル部２４とが１つの部材で一体的に設けられたアイアン系のゴルフクラブヘッドである。ゴルフクラブヘッド２０は、ゴルフクラブヘッドのヘッド体積に対するゴルフクラブヘッドのヘッド質量の比率が３（ｇ／ｃｍ２）以上であり、ゴルフボールを打撃する打撃面２６を有するフェース部２８およびホーゼル部２４は、引張最大強度が６００（ＭＰａ）以上の上述の高強度アルミニウム合金からなる部材で構成されている。
ゴルフクラブヘッド１０と異なる点は、タングステン合金により構成された重心調整錘２９が、ゴルフクラブヘッド本体部２２のソール部分の他に、ゴルフクラブヘッド本体部２２のトウ側およびヒール側にも接合されて、低重心化、重心深さの増大および慣性モーメントの増大が図られている。
【００１８】
図３（ａ）は、本発明のゴルフクラブヘッドの他の実施形態であるゴルフクラブヘッド３０の正面図、図３（ｂ）は、ゴルフクラブヘッド３０の、図３（ａ）に示すＣ−Ｃ’矢視断面図である。
ゴルフクラブヘッド３０は、ゴルフクラブヘッド本体部３２とゴルフクラブシャフトを挿入してゴルフクラブヘッド本体部３２に結合させるホーゼル部３４とが１つの部材で一体的に設けられ、ゴルフクラブヘッド本体部３２に打撃面を有するフェース部材３６が接合されて設けられたアイアン系のゴルフクラブヘッドである。
【００１９】
ゴルフクラブヘッド３０は、ゴルフクラブヘッドのヘッド体積に対するゴルフクラブヘッドのヘッド質量の比率が３（ｇ／ｃｍ２）以上であり、フェース部材３６は、引張最大強度が６００（ＭＰａ）以上の上述の高強度アルミニウム合金からなる部材で構成されている。一方、ゴルフクラブヘッド本体部３２およびホーゼル部３４は、比重が７．８のステンレス合金からなる部材（図３（ａ），（ｂ）中の灰色領域）で構成されている。ゴルフクラブヘッド３０は、タングステン合金により構成された重心調整錘３９が、ゴルフクラブヘッド本体部３２のソール部分に接合されて、低重心化、重心深さの増大および慣性モーメントの増大化が図られている。
【００２０】
図４（ａ）は、本発明のゴルフクラブヘッドの他の実施形態であるゴルフクラブヘッド４０の正面図、図４（ｂ）は、ゴルフクラブヘッド４０の、図４（ａ）に示すＤ−Ｄ’矢視断面図である。
ゴルフクラブヘッド４０は、ゴルフボールを打撃する打撃面４２とゴルフクラブシャフトを挿入して結合させるホーゼル部４４とが一体的に設けられたゴルフクラブヘッド本体部４６を有し、ゴルフクラブヘッド本体部４６には打撃面４２の周りを囲むように部材４７が設けられたアイアン系のゴルフクラブヘッドである。打撃面４２の背面はゴルフクラブヘッド４０の背面として露出した構成となっている。
部材４４および部材４７は、ステンレスからなる部材によって構成されている。また、ゴルフクラブヘッド４０は、タングステン合金により構成された重心調整錘４９が、部材４７により形成されるソール部分に接合されて、低重心化、重心深さの増大および慣性モーメントの増大が図られている。
【００２１】
図５（ａ）は、本発明のゴルフクラブヘッドの他の実施形態であるゴルフクラブヘッド５０の正面図、図５（ｂ）は、ゴルフクラブヘッド５０の、図５（ａ）に示すＥ−Ｅ’矢視断面図である。
ゴルフクラブヘッド５０は、ゴルフクラブヘッド本体部５２とゴルフクラブシャフトを挿入してゴルフクラブヘッド本体部５２に結合させるホーゼル部５４とが一体的に設けられ、ゴルフクラブヘッド本体部５２に打撃面５６を有するフェース部材５８が設けられたアイアン系のゴルフクラブヘッドである。ゴルフクラブヘッド本体部５２にフェース部材５８が接合されることによってゴルフクラブヘッド５０に中空領域が形成されている。ゴルフクラブヘッド５０は、ゴルフクラブヘッドのヘッド体積に対するゴルフクラブヘッドのヘッド質量の比率が３（ｇ／ｃｍ２）以上に制限され、打撃面５６を有するフェース部材５８は、引張最大強度が６００（ＭＰａ）以上の上述の高強度アルミニウム合金からなる部材で構成されている。一方、ゴルフクラブヘッド本体部５２は、比重が７．８のステンレス材で構成されている。ゴルフクラブヘッド５０は、タングステン合金により構成された重心調整錘５９が、ゴルフクラブヘッド本体部５２の中空領域内に接合されて設けられ、低重心化、重心深さの増大および慣性モーメントの増大が図られている。
【００２２】
このようにゴルフクラブヘッド１０〜５０は、ゴルフクラブヘッドのヘッド体積に対するゴルフクラブヘッドのヘッド質量の比率が３（ｇ／ｃｍ２）以上であり、かつ、打撃面を有するフェース部が、引張最大強度で６００（ＭＰａ）以上のアルミニウム合金からなる部材で構成されており、以下に示す実施例からわかるように、従来のゴルフクラブヘッドに比べて打ち出されたゴルフボールの飛距離の向上および方向性を向上させることができる。さらに、打感も向上する。
【００２３】
本発明のゴルフクラブヘッドにおいて、好ましくは、ゴルフクラブヘッドのヘッド体積に対するゴルフクラブヘッドのヘッド質量の比率が３〜１３（ｇ／ｃｍ２）であり、かつ、打撃面を有するフェース部が、引張最大強度が６００〜１０００（ＭＰａ）のアルミニウム合金からなる部材で構成されていることが好ましい。また、ゴルフクラブヘッドを、設定されているロフト角度になるように水平面にセットしたとき、ゴルフクラブヘッドの重心を通り、水平面に直交する鉛直線周りの慣性モーメントが２０００〜４０００(ｇ・ｃｍ２)であることが好ましい。また、ゴルフクラブヘッドの重心高さが１０（ｍｍ）以上２３（ｍｍ）未満であることが好ましい。また、ゴルフクラブヘッドの重心位置が、打撃面の先端から打撃後方向に２〜１８ｍｍ後退していることが好ましい。調整部材に用いる高比重金属は、比重が８〜１９であることが好ましい。
【実施例】
【００２４】
ロフト角度が２６度のアイアン系のゴルフクラブヘッドを１４種（Ｎｏ１〜Ｎｏ．１４）作製し、これらのゴルフクラブヘッドに同じゴルフクラブシャフトを装着してゴルフクラブを組み立て、実際にゴルフボールを試打して、打感、飛距離およびゴルフボールの方向性を調べた。
【００２５】
本発明のゴルフクラブヘッドの構成の特徴を下記構成（Ａ）〜（Ｇ）とする。
（Ａ）ヘッド体積に対するヘッド質量の比率が３（ｇ／ｃｍ２）以上であり、かつ、打撃面を有するフェース部が、引張最大強度が６００（ＭＰａ）以上のアルミニウム合金からなる部材で構成されている、
（Ｂ）アルミニウム合金は、急冷凝固法により作製されたものである、
（Ｃ）ホーゼル部が引張最大強度が６００（ＭＰａ）以上のアルミニウム合金からなる部材により構成されている、
（Ｄ）ゴルフクラブヘッドの重心を通り、水平面に直交する鉛直線周りの慣性モーメントが２０００(ｇ・ｃｍ２)以上である、
（Ｅ）ゴルフクラブヘッドの重心高さが２３（ｍｍ）未満である、
（Ｆ）ゴルフクラブヘッドの重心位置が、打撃面の先端から２ｍｍ以上、打撃後方向に２ｍｍ以上後退している、
（Ｇ）ゴルフクラブヘッドに比重が８以上の高比重金属からなる調整部材が接合されている。
【００２６】
作製したＮｏ．１〜Ｎｏ．１４のゴルフクラブヘッドのうち、Ｎｏ．１〜Ｎｏ．７が本発明のゴルフクラブヘッドである。Ｎｏ．１，Ｎｏ．２は構成（Ａ），（Ｂ），（Ｄ），（Ｅ），（Ｆ），（Ｇ）を満たし、Ｎｏ．３は構成（Ａ）〜（Ｇ）を満たす。また、Ｎｏ．４は構成（Ａ），（Ｂ），（Ｅ），（Ｆ），（Ｇ）を満たし、Ｎｏ．５は構成（Ａ），（Ｆ），（Ｇ）を満たす。Ｎｏ．６は構成（Ａ），（Ｂ），（Ｇ）を満たし、Ｎｏ．７は構成（Ａ），（Ｂ）を満たす。
一方、Ｎｏ．８〜１４は、構成（Ａ）を少なくとも満たさず、本発明のゴルフクラブヘッドに含まれない。Ｎｏ．８〜１２はフェース部に従来より用いられている７０７５アルミニウム合金を用いたゴルフクラブヘッドである。Ｎｏ．１３はフェース部に高強度アルミニウム合金を用いたが、ゴルフクラブヘッドのヘッド体積に対するヘッド質量の比率が３（ｇ／ｃｍ２）未満のゴルフクラブヘッドであり、Ｎｏ．１４は従来のステンレス材で構成されたゴルフクラブヘッドである。
【００２７】
Ｎｏ．１〜Ｎｏ．１４の構成内容について下記表１に示す。Ｎｏ．１〜Ｎｏ．７は、最大引張強度が６００（ＭＰａ）以上であるため打撃面中央部の肉厚を薄肉化することができ、肉厚を３．２ｍｍとしている。この肉厚は、７０７５アルミニウム合金をフェース部材に用いたＮｏ．１２のゴルフクラブヘッドの肉厚４．６ｍｍに比べて略３０％薄い。また、ステンレス材を用いたＮｏ．１４のゴルフクラブヘッドの打撃面の肉厚は、Ｎｏ．１〜Ｎｏ．１４の中で、２．２ｍｍと最も薄いが、比重が７．８と大きいため、ゴルフクラブヘッドのフェース部に質量が集中し、慣性モーメントが小さい。また、高強度アルミニウム合金を用いたＮｏ．１３のゴルフクラブヘッドのヘッド質量／ヘッド体積の比率は２．６であり、本発明における比率３．０以上の規定を満たさない。
なお、作製されたゴルフクラブヘッドには、いずれも合計の質量が一定となるように重心調整錘が設けられた。
【００２８】
【表１】
2005125090.tif 000003
【００２９】
このようなゴルフクラブヘッドＮｏ．１〜Ｎｏ．１４を備えた１４種のゴルフクラブを用いて、１０球ずつ３０人のゴルファにゴルフボールを試打してもらい、打感、ゴルフボールの飛距離および方向性を調べた。結果は、下記表２の通りである。結果は、それぞれ、Ｎｏ．１４を基準（１００）として指数化している。打感は、ゴルファの官能評価により点数化して数値化した。打感の指数が高くなるほど柔らかい打感を有し、アイアン系のゴルフクラブとして好ましいものとなることを意味する。飛距離は、指数が高くなるほど大きな飛距離であることを意味する。方向性は、指数が高いほど１０球試打したときのゴルフボールの飛弾方向の角度のばらつきが小さくなる（標準偏差が小さくなる）ことを意味する。また、打感、飛距離及び方向性の指数を合計した合計点を示している。
【００３０】
【表２】
2005125090.tif 000004
【００３１】
表２によると、ゴルフクラブヘッドのヘッド体積に対するヘッド質量の比率が３（ｇ／ｃｍ２）以上であり、かつ、前記打撃面を有するフェース部が、引張最大強度で６００（ＭＰａ）以上のアルミニウム合金からなる部材で構成されたＮｏ．１〜Ｎｏ．７は、いずれも、飛距離の指数で１０４以上となり、合計点で３１４点以上である。この合計点は、本発明のゴルフクラブヘッドに該当しないＮｏ．８〜１４の合計点の最高値３０４に比べて極めて高い。また、方向性も指数で１０３以上となり、ゴルフボールの飛弾方向のばらつきが小さくなる。さらに、打感についても、薄肉化により柔らかな打感となる。
【００３２】
重心高さＨが２３ｍｍ未満であり、重心深さＬが２ｍｍ以上であるＮｏ．１〜Ｎｏ．４は、飛距離および方向性がＮｏ．８〜Ｎｏ．１４に比べて向上する。
一方、ヘッド質量／ヘッド体積の比率が３（ｇ／ｃｍ２）未満のＮｏ．１３のゴルフクラブヘッドは、Ｎｏ．１と同様にフェース部に高強度アルミニウム合金を用いて、慣性モーメントを２０００(ｇ・ｃｍ２)以上としても、Ｎｏ．１をはじめとする本発明品（Ｎｏ.１〜Ｎｏ．７）に比べて飛距離、方向性及び合計点、特に方向性及び合計点において大きく劣る。
これより、ゴルフクラブヘッドは、フェース部にが、引張最大強度で６００（ＭＰａ）以上のアルミニウム合金を用いてフェース部を構成し、慣性モーメントが大きくなるように重心調整錘を用いて調整しても、ヘッド質量／ヘッド体積の比率が３．０以上でなければ飛距離および方向性が向上しないことがわかる。
このように、本発明のゴルフクラブヘッドは、ゴルフクラブヘッドのヘッド体積に対するヘッド質量の比率が３（ｇ／ｃｍ２）以上であり、かつ、打撃面を有するフェース部が、引張最大強度が６００（ＭＰａ）以上のアルミニウム合金からなる部材で構成されているので、飛距離および方向性のみならず打感においても、アイアン系のゴルフクラブヘッドとして好ましい特性を有することは明らかである。
【００３３】
以上、本発明のゴルフクラブヘッドについて詳細に説明したが、本発明は上記実施形態に限定されず、本発明の主旨を逸脱しない範囲において、種々の改良や変更をしてもよいのはもちろんである。
【図面の簡単な説明】
【００３４】
【図１】（ａ）は本発明のゴルフクラブヘッドの一実施形態であるゴルフクラブヘッドの正面図、（ｂ）は（ａ）に示すゴルフクラブヘッドのＡ−Ａ’矢視断面図である。
【図２】（ａ）は本発明のゴルフクラブヘッドの他の実施形態であるゴルフクラブヘッドの正面図、（ｂ）は、（ａ）に示すゴルフクラブヘッドのＢ−Ｂ’矢視断面図である。
【図３】（ａ）は本発明のゴルフクラブヘッドの他の実施形態であるゴルフクラブヘッドの正面図、（ｂ）は、（ａ）に示すゴルフクラブヘッドのＣ−Ｃ’矢視断面図である。
【図４】（ａ）は本発明のゴルフクラブヘッドの他の実施形態であるゴルフクラブヘッドの正面図、（ｂ）は、（ａ）に示すゴルフクラブヘッドのＤ−Ｄ’矢視断面図である。
【図５】（ａ）は本発明のゴルフクラブヘッドの他の実施形態であるゴルフクラブヘッドの正面図、（ｂ）は、（ａ）に示すゴルフクラブヘッドのＥ−Ｅ’矢視断面図である。
【符号の説明】
【００３５】
１０，２０，３０，４０，５０  ゴルフクラブヘッド
１２，２２，３２，４６，５２  ゴルフクラブヘッド本体部
１４，２４，３４，４４，５４  ホーゼル部
１６，２６，４２，５６  打撃面
１８，２８，５８  フェース部
１９，２９，３９，４９，５９  重心調整錘
３６  フェース部材
４７  部材
【図１】
2005125090.tif 000005
【図２】
2005125090.tif 000006
【図３】
2005125090.tif 000007
【図４】
2005125090.tif 000008
【図５】
2005125090.tif 000009